(57)【要約】【課題】  パスワードを作成し受け渡すという形態におけるセキュリティの強化を行った情報処理装置を提供することを目的とする。【解決手段】  情報処理装置とこの情報処理装置に付随する二次元コードの読み取りが可能な小形機器において、情報処理装置は、パスワードの元になるデータの二次元コードを作成する二次元コード作成手段と、作成された二次元コードを表示する表示部を備え、小形機器は、この二次元コードを読み取る二次元コード読み取り手段と、この読み取り内容から固有のパスワードを作成するパスワード作成手段と、作成されたパスワードを表示するべく設けられた表示画面を備え、この表示されたパスワードを情報処理装置に外部からユーザにより入力することにより、セキュリティを解除することを特徴とする情報処理装置。【選択図】      図４
2008293085.tif 000002
【特許請求の範囲】
【請求項１】
情報処理装置とこの情報処理装置に付随する二次元コードの読み取りが可能な小形機器において、
情報処理装置は、パスワードの元になるデータの二次元コードを作成する二次元コード作成手段と、作成された二次元コードを表示する表示部を備え、
小形機器は、この二次元コードを読み取る二次元コード読み取り手段と、この読み取り内容から固有のパスワードを作成するパスワード作成手段と、作成されたパスワードを表示するべく設けられた表示画面を備え、
この表示されたパスワードを情報処理装置に外部からユーザにより入力することにより、セキュリティを解除することを特徴とする情報処理装置。
【請求項２】
前記パスワードの元になるデータ、または、前記パスワードは、前記情報処理装置内部の所定の条件に基づき変更できることを特徴とする請求項１に記載の情報処理装置。
【請求項３】
前記情報処理装置の電源投入に続いて前記二次元コードが作成・表示されることを特徴とする請求項１に記載の情報処理装置。
【請求項４】
情報処理装置とこの情報処理装置に付随する二次元コードの読み取りが可能な小形機器において、
情報処理装置は、パスワードの元になるデータの二次元コードを作成する二次元コード作成手段と、作成された二次元コードを表示する表示部を備え、
小形機器は、この二次元コードを読み取る二次元コード読み取り手段と、この読み取り内容から固有のパスワードを作成するパスワード作成手段と、作成されたパスワードを二次元コード化して表示するべく設けられた表示画面を備え、
この表示されたパスワードを情報処理装置に入力することにより、セキュリティを解除することを特徴とする情報処理装置。
【請求項５】
書類またはウェブ画面において印刷・表示された、情報処理装置に対するパスワードの元になるデータの二次元コードを読み取る小形機器において、この二次元コードを読み取る二次元コード読み取り手段と、この読み取り内容から固有のパスワードを作成するパスワード作成手段と、作成されたパスワードを表示するべく設けられた表示画面を備え、
この表示されたパスワードを情報処理装置に外部からユーザにより入力することにより、セキュリティを解除することを特徴とする情報処理装置。
【発明の詳細な説明】
【技術分野】
【０００１】
本発明は、情報処理装置に係り、特にセキュリティ技術に関する。
【背景技術】
【０００２】
従来、情報処理装置の盗難や第三者の不正操作を防止するための技術が種々開示されている。情報処理装置を物理的に固定して持ち出しを困難にするものや、情報処理装置の操作を無効にするもの等が代表的である。
【０００３】
後者としては例えば特許文献１には、制御装置へのパスワード入力によって表示された２次元コードを携帯端末に登録し、この2次元コードを来訪者認識用カメラにより撮影させることによって解錠される電気錠制御システムなる方法が記載されている。即ち固定したパスワードによって来訪者を管理するといった一般的な目的・方法のものである。
【０００４】
また特許文献２では、電子機器と携帯電話の間で無線を介して認証を行い、セキュリティを設定／解除する方法が記載されている。特許文献１と比較するにパスワードの介在が無いという相対的に特殊な目的・方法のものである。
【０００５】
いずれとも異なる第３の方法として、パスワードを作成し受け渡すという形態におけるセキュリティの強化を行う方法があるが、この方法に関する技術は開示されていない。
【特許文献１】特開２００４−２３８９６５号公報
【特許文献２】特開２００１−１２５６６１号公報
【発明の開示】
【発明が解決しようとする課題】
【０００６】
本発明の目的は、パスワードを作成し受け渡すという形態におけるセキュリティの強化を行った情報処理装置を提供することにある。
【課題を解決するための手段】
【０００７】
上記目的を達成するために本発明に係る情報処理装置は、情報処理装置とこの情報処理装置に付随する二次元コードの読み取りが可能な小形機器において、情報処理装置は、パスワードの元になるデータの二次元コードを作成する二次元コード作成手段と、作成された二次元コードを表示する表示部を備え、小形機器は、この二次元コードを読み取る二次元コード読み取り手段と、この読み取り内容から固有のパスワードを作成するパスワード作成手段と、作成されたパスワードを表示するべく設けられた表示画面を備え、この表示されたパスワードを情報処理装置に外部からユーザにより入力することにより、セキュリティを解除することを特徴とする。
【発明の効果】
【０００８】
本発明によれば、パスワードを作成し受け渡すという形態におけるセキュリティの強化を行った情報処理装置を提供することができる。
【発明を実施するための最良の形態】
【０００９】
以下本発明に係る実施の形態を、図面を参照して説明する。
図１は本発明の実施形態に係る情報処理装置を示す外観斜視図である。情報処理装置１は例えばパーソナルコンピュータ（ＰＣ）であり本体２を備え、本体２にはヒンジ部３を介してディスプレイユニット４が回動可能に取り付けられている。本体２の前上面２ａにはタッチパッド５が取り付けられている。また、後述のＱＲコード生成・表示のためのディスプレイエリアＤＡが取り付けられている。本体２の後上面２ｂにはキーボード６と主電源スイッチ７が取り付けられている。本体２は樹脂製の上ケース８と下ケース９とを有し、本体２内には複数の電子部品を搭載した図示しない回路基板が収容されている。
【００１０】
図２は本発明の実施形態に係る情報処理装置の構成を示すブロック図である。ＣＰＵ１０はプロセッサ等で構成され、後述するメモリに記憶されたプログラムを実行する。また、ＣＰＵ１０は入力装置や記憶装置からデータを受け取り、演算・加工した上で、出力装置や記憶装置に出力する。ノースブリッジ１１はバスによりＣＰＵ１０と接続されている。ノースブリッジ１１はＲＡＭやＲＯＭ等のメモリ１２と接続され、メモリ１２を制御する。ＲＡＭは例えばＤＲＡＭで構成され、ＣＰＵ１０が実行するプログラム、またはＣＰＵ１０の動作に必要なデータを記憶する。ＲＯＭは読み出し専用記憶装置として、書き換える必要のない情報や書き換えられてはいけない情報を記憶している。ノースブリッジ１１はバスを介してサウスブリッジ１３とも接続されている。サウスブリッジ１３はＨＤＤのような外部記憶装置や周辺装置の制御等、各種のＩ／Ｏ（Ｉｎｐｕｔ／Ｏｕｔｐｕｔ）を制御する。サウスブリッジ１３にはバスを介して無線モジュール１４、ＧＰＳ１５、サウンド回路１６が接続されている。無線モジュール１４はサーバ等と無線通信を行うためのものであり、例えば、３Ｇ方式の無線通信モジュールが用いられる。ＧＰＳ（Ｇｌｏｂａｌ  Ｐｏｓｉｔｉｏｎｉｎｇ  Ｓｙｓｔｅｍ）１５は人工衛星からの電波を利用して、情報処理装置１の所在地を割り出すことができる。サウンド回路１６はサウスブリッジ１３から送られる圧縮音声信号をアナログの音声信号に変換し、音声入出力部１７へ出力される。音声入出力部１７はスピーカやマイク等から構成され、入力された音声信号を音声に変換して出力するとともに、外部の音声を録音する。
【００１１】
ＥＣ／ＫＢＣ（Ｅｍｂｅｄｅｄ  Ｃｏｎｔｒｏｌｌｅｒ／Ｋｅｙｂｏａｒｄ  Ｃｏｎｔｒｏｌｌｅｒ）２０は例えばマイクロコンピュータ等で構成され、キーボード７を制御する機能、ユーティリティソフトウェアとのインタフェースを提供する機能等を有する。ＥＣ／ＫＢＣ２０はＯＳ（Ｏｐｅｒａｔｉｎｇ  Ｓｙｓｔｅｍ）やＢＩＯＳ（Ｂａｓｉｃ  Ｉｎｐｕｔ  Ｏｕｔｐｕｔ  Ｓｙｓｔｅｍ）等の基本制御ソフトウェアとの通信を行うためのインタフェースも有しており、コマンドやデータの授受を行うこともできる。
【００１２】
ＥＣ／ＫＢＣ２０はキーボード６、主電源スイッチ７に接続されている。キーボード６はＥＣ／ＫＢＣ２０に接続され、ＥＣ／ＫＢＣ２０により制御される。ユーザは主電源スイッチ７を押下することにより、情報処理装置１を起動する。メインバッテリ２５は本体２に電力を供給するために設けられる。
【００１３】
PCにQRコード（登録商標）が生成される液晶をディスプレイエリアＤＡとして取り付けている。作成されたQRコードの中身は、パスワードを含んだ文字列である。この文字列は、専用のQRコード読取機器(PCと一組、例えば利用者には隠されている同一ＩＤのもの)を使用することによってパスワードを抽出することが可能となっている。このパスワードの元になるデータ、または、パスワードは、情報処理装置内部の所定の条件、例えばタイマーに基づき、ダイナミックに、ランダムな値に順次変わるようにするとよい。
【００１４】
図３は、実施形態に係る情報処理装置の使用形態を説明するための図である。図３（ａ）は一組になっていないPCとQRコード読取機器との組み合わせを表し、生成されたQRコードは読み取ることができないものとなることを表している。
【００１５】
他方、図３（ｂ）は一組になっているPCとQRコード読取機器との組み合わせを表し、生成されたQRコードは読み取り活用することができることを表している。
図３（ｂ）では、ディスプレイエリアDAのQRコードは図のQRのように表現され、ユーザがQRコード読取機器でスキャンすることにより、QRコード読取機器に利用可能なパスワードが表示される。
【００１６】
図４は、実施形態に係る情報処理装置のセキュリティ動作を示すフローチャートである。PC電源ONの後など、まずステップS１では、パスワードを入力する画面が本体ＬＣＤに表示される。次にステップS２では、同時にＱＲコードが生成され、液晶にＱＲコードが表示される。
【００１７】
次にステップS３では、ユーザがＱＲコード読取機器で、ＱＲコードを読み取る。次にステップS４では、ＱＲコード読取機器の液晶部分にパスワードが表示される。次にステップS５では、表示されたパスワードを本体ＬＣＤのパスワード入力画面にユーザが打ち込む。この後PCのOSが起動する。
【００１８】
図５は、実施形態に係る情報処理装置のセキュリティ動作を示す別のフローチャートである。まずステップS１１では、パスワードを生成するための文字列が作成される。次にステップS１２では、同時にＱＲコード生成、液晶にＱＲコードが表示される。
【００１９】
次にステップS１３では、ＱＲコード読取機器で、ＱＲコードを読み取る。次にステップS１４では、ＱＲコード読取機器の液晶部分にパスワードが表示される。次にステップS１５では、表示されたパスワードを入力するとOSが起動する。
【００２０】
他方でステップS１６では、携帯電話等の一般機器で、ＱＲコードを読み取る。次にステップS１７では、ＱＲコード読取機器の液晶部分に文字列が表示される。次にステップS１８では、表示された文字列を入力してもOSは起動しない。
【００２１】
パスワードを抽出するルールは、例えば文字列の１番目、３番目、といったように固定の位置を順に６個拾ってパスワードとする等すればよい。
抽出されたパスワードがQRコード読取機器に表示され、そのパスワードをPCのログイン画面に打ち込むとOSが起動し、PCが使用可能になる。
図６は、変形例であり、例えば、社員だけがログインできるHPにパスワードを設定した場合、メールや口頭あるいは書類などで知らせた場合、情報が漏れる可能性があるがこのパスワードをQRコードとして表示させ、各社員にQRコード読取機器で読み取らせれば、情報の漏洩が防げることが期待される。図６では、サーバSRからパスワードを送信し、PC内でこのパスワードは文字列化されQRコードとして表示される。
【００２２】
対して一般的にパスワードを自身で設定した場合、パスワード忘れなどが起こったり、パスワードを忘れないために紙に書いて机にいれておくなどのセキュリティ上の不安が発生する。また指紋認証を使用したとき、グミ指などを使用すれば自分でなくてもログインできてしまう危険性がある。しかし、この機能を使用すれば、パスワード忘れの防止も可能であり、自分以外のログインも防ぐことが可能である。またPCとQRコード読取機器をPCとは別に携帯していれば(例えば、PCは手元のかばん、読取機器は、上着のポケット等)、盗難等の被害にあった場合も同時に両方を盗難される可能性は低いので情報漏洩対策になりえる。
【００２３】
実施例にて、情報処理装置と小形機器（パスワードを作成する手段）は固有の組み合わせが設定でき、組み合わせ以外の小形機器では有効なパスワードを作成することが出来ない。
【００２４】
また、情報処理装置の電源をオンしたときに、二次元コードが作成・表示され、小形機器にて作成・表示されたパスワードを入力すると情報処理装置が起動する。
また、二次元コードは情報処理装置のメイン表示パネルの一部に表示する。または、専用に設けられた表示部に表示しても良い。
なお、小形機器は、携帯電話（カメラ付き）を使用しても良い。パスワードを作成する手段（ソフト）は、組み合わせの情報処理装置と一対である。
二次元コードを用いたセキュリティ強化方法であり、ノートＰＣの液晶表示部に作成・表示されたＱＲコード（二次元コード）を、ＱＲコード読取機器（携帯電話を含む）にて読み取り、その内容から作成された固有のパスワードを、ノートＰＣのパスワードとして入力することにより、ノートＰＣのセキュリティを強化する方法である。特徴は次のとおりである。
【００２５】
1.PCに取り付けたQRコードを表示する液晶から生成されるQRコードの内容をそのときのPCのパスワードとする。
2.QRコードを読み取る装置はPCと一組であり、それ以外のものでは読み取ることができない。
3.QRコードは、PCの電源を入れたときに生成され、そのQRコードのパスワードを入力するとOSが立ち上がる。
本発明は、ノートＰＣのパスワードの作成、受け渡しに、二次元コードを利用することに、セキュリティを強化しており、その目的、および、利用方法が異なる。
本発明は、無線方式とは異なり、二次元コードと云う目に見えるデータを利用することにより、一般的なパスワード入力手順に沿ったセキュリティ制御ができ、発明のポイントに記述の様に、その応用範囲も広い。
【００２６】
効果として、パスワードを二次元コードを利用して作成することにより、より高度なセキュリティを確保することができる。
本発明ではその主旨を逸脱しない範囲であれば、上記の実施形態に限定されるものではなく種々の変形が可能である。例えば、ＱＲコードの他の２次元コード、例えばマイクロＱＲコードを用いてもよい。
【図面の簡単な説明】
【００２７】
【図１】本発明の実施形態に係る情報処理装置を示す外観斜視図。
【図２】本発明の実施形態に係る情報処理装置の構成を示すブロック図。
【図３】本発明の実施形態に係る情報処理装置の使用形態を説明するための図。
【図４】本発明の実施形態に係る情報処理装置のセキュリティ動作を示すフローチャート。
【図５】本発明の実施形態に係る情報処理装置のセキュリティ動作を示すフローチャート２。
【図６】本発明の実施形態に係る情報処理装置の使用形態を説明するための図。
【符号の説明】
【００２８】
１…情報処理装置、２…本体、３…ヒンジ部、４…ディスプレイユニット、５…タッチパッド、６…キーボード、７…主電源スイッチ、８…上ケース、９…下ケース、１０…ＣＰＵ、１１…ノースブリッジ、１２…メモリ、１３…サウスブリッジ、１４…無線モジュール、１５…ＧＰＳ、１６…サウンド回路、１７…音声入出力部、２０…ＥＣ／ＫＢＣ、２２…３Ｄセンサ、２３…アラーム回路、２５…メインバッテリ、２６…サブバッテリ、ＤＡ…ディスプレイエリア。
【図１】
2008293085.tif 000003
【図２】
2008293085.tif 000004
【図３】
2008293085.tif 000005
【図４】
2008293085.tif 000006
【図５】
2008293085.tif 000007
【図６】
2008293085.tif 000008